(57)【要約】      （修正有）【課題】天井や操作盤の改造を要することなく炎検知器を簡単に設置でき、乗かご内に発生した炎を広い範囲で検知できるエレベータのかご内炎検出装置の提供。【解決手段】エレベータの乗かごに設置され、乗かご内で発生した炎を検知する炎検知器７と、この炎検知器７が炎を検知したとき作動する警報装置８と、炎検知器７による炎検知に伴って乗かごの外部の所定箇所へ通報信号を出力する通報装置とを備えたものにあって、互いに直交する３つの板体によって枠状に形成される保持部６Ｂと、この保持部６Ｂに保持され、乗かご内で発生した炎の検知に活用される複数の穴６ａが形成された凸面鏡部６Ａとを有する凸面鏡装置６を備えると共に、この凸面鏡装置６の内部に設けられ、炎検知器７を取り付けるゴム体より成る炎検知器取付部、及び警報装置８を取り付けるゴム体より成る警報装置取付部を備えた構成にしてある。【選択図】図２
2007039207.tif 000002
【特許請求の範囲】
【請求項１】
エレベータの乗かごに設置され、前記乗かご内で発生した炎を検知する炎検知器と、この炎検知器が炎を検知したとき作動する警報装置と、前記炎検知器による炎検知に伴って前記乗かごの外部の所定箇所へ通報信号を出力する通報装置とを備えたエレベータのかご内炎検出装置において、
互いに直交する３つの板体によって枠状に形成される保持部と、この保持部に保持され、前記乗かご内で発生した炎の検知に活用される複数の穴が形成された凸面鏡部とを有する凸面鏡装置を備えると共に、
この凸面鏡装置の内部に設けられ、前記炎検知器を取り付ける炎検知器取付部、及び前記警報装置を取り付ける警報装置取付部を備えたことを特徴とするエレベータのかご内炎検出装置。
【請求項２】
上記請求項１記載の発明において、
前記保持部の前記板体のそれぞれが、扇状の板体から成ることを特徴とするエレベータのかご内炎検出装置。
【請求項３】
上記請求項１記載の発明において、
前記凸面鏡装置を、前記乗かごの天井の隅角部に設置したことを特徴とするエレベータのかご内炎検出装置。
【請求項４】
上記請求項３記載の発明において、
前記天井の前記隅角部が、かご内操作盤の上方に位置する隅角部であることを特徴とするエレベータのかご内炎検出装置。
【発明の詳細な説明】
【技術分野】
【０００１】
本発明は、エレベータの乗かご内におけるライター等によるいたずらの防止に好適なエレベータのかご内炎検出装置に関するものである。
【背景技術】
【０００２】
昨今、乗かご内の操作盤や養生シート等がライターの炎で焼かれるいたずらが発生しており、最悪の場合、放火行為による建物への被害も心配されている。
【０００３】
この問題を解決するために従来、特許文献１に、エレベータのかご押釦中に設けられた感熱センサによって炎を検知すると、かご内に警告メッセージを流し音声で警告するとともに、カメラで証拠写真を撮り、その行為を中止させようとする技術が提案されている。
【０００４】
また、特許文献２に、乗かご内の操作盤の上方と、その対角線上の内壁の上方のそれぞれに炎検知器を露出させるように配置し、これらの炎検知器が炎を検知すると、乗かごの天井の照明が消灯してストロボフラッシャーが点滅するとともに、警報装置が働いて警報音を発する技術が提案されている。
【特許文献１】特許第２６２９１２１号公報
【特許文献２】特開２００１−１９３０８公報
【発明の開示】
【発明が解決しようとする課題】
【０００５】
上述した従来技術におけるように、乗かご内に炎検知器を露出させるように配置した場合には、炎検知器が傘の先で突かれて損傷してしてしまういたずらが懸念される。また、炎検知器が備えられる該当する乗かごに特有の意匠、例えば天井照明の設置形式によっては、炎検知器の取付けが制限されてしまう問題もある。また、上述の従来技術におけるように、乗かご内の操作盤の中とか天井裏に炎検知器を収納させようとすると、炎検知器を収納させるための特別な改造が必要になったり、乗かご内の炎の検出範囲に死角が生じてしまう問題がある。
【０００６】
本発明は、上述した従来技術における実状からなされたもので、その目的は、天井や操作盤の改造を要することなく炎検知器を簡単に設置でき、乗かご内に発生した炎を広い範囲で検知できるエレベータのかご内炎検出装置を提供することにある。
【課題を解決するための手段】
【０００７】
上記目的を達成するために、本発明は、エレベータの乗かごに設置され、前記乗かご内で発生した炎を検知する炎検知器と、この炎検知器が炎を検知したとき作動する警報装置と、前記炎検知器による炎検知に伴って前記乗かごの外部の所定箇所へ通報信号を出力する通報装置とを備えたエレベータのかご内炎検出装置において、互いに直交する３つの板体によって枠状に形成される保持部と、この保持部に保持され、前記乗かご内で発生した炎の検知に活用される複数の穴が形成された凸面鏡部とを有する凸面鏡装置を備えると共に、この凸面鏡装置の内部に設けられ、前記炎検知器を取り付ける炎検知器取付部、及び前記警報装置を取り付ける警報装置取付部を備えたことを特徴としている。
【０００８】
このように構成した本発明は、凸面鏡装置をエレベータの乗かご内の上方部に設置することにより、乗かご内に発生した炎を広い範囲で検知できる。また、凸面鏡装置の凸面鏡部の表面には乗かご内で発生した炎の検知に活用される複数の穴が設けられ、凸面鏡装置の内部には炎検知器取付部と警報装置取付部を介して炎検知器と警報装置が収納されるので、例えばかご内操作盤に備えられる押釦をライター等の炎で焼こうとしても、凸面鏡装置の内部に設けた炎検知器が確実にそのライター等の炎を検知して、警報装置を作動させることができ、このようなライター等によるいたずらの防止に有効である。また、凸面鏡装置内に炎検知器及び警報装置を収納させてあり、凸面鏡装置は天井の隅角部等のようなデッドスペースを利用して設置可能であることから、天井や操作盤の改造を要することなく炎検知器及び警報装置を乗かご内に簡単に設置できる。
【０００９】
また本発明は、上記発明において、前記保持部の前記板体のそれぞれが、扇状の板体から成ることを特徴としている。
【００１０】
また本発明は、上記発明において、前記凸面鏡装置を、前記乗かごの天井の隅角部に設置したことを特徴としている。
【００１１】
また本発明は、上記発明において、前記天井の前記隅角部が、かご内操作盤の上方に位置する隅角部であることを特徴としている。
【発明の効果】
【００１２】
本発明によれば、凸面鏡装置の凸面鏡部に乗かご内で発生した炎の検知に活用される複数の穴を設けると共に、凸面鏡装置の内部に炎検知器を収納したので、乗かご内で発生した炎を広い範囲で確実に検知可能であり、ライター等によるいたずらの防止に有効であると共に、炎検知器が傘で突かれたりするなどのいたずらも防止できる。また、乗かご内に炎検知器が収納された凸面鏡装置を容易に設置できるので、天井や操作盤の改造を要することなくこの炎検知器を簡単に設置でき、炎検知器の取付け費用を安く済ませることができる。これらのことから本発明は、従来に比べて高い信頼性と実用性を確保できる。
【発明を実施するための最良の形態】
【００１３】
以下、本発明に係るエレベータのかご内炎検出装置の一実施形態を図に基づいて説明する。
【００１４】
図１は本発明に係るエレベータのかご内炎検出装置の一実施形態が装備された乗かごの要部斜視図、図２は本実施形態の拡大正面図、図３は本実施形態に備えられる炎検知器と警報装置の凸面鏡装置内への収納手順を説明する図で、凸面鏡の内側から見た図である。
【００１５】
これらの図１〜３に示すように、本実施形態のエレベータのかご内炎検出装置が装備されるエレベータの乗かご１は、側壁を形成する側板２と、照明装置３ａが装着される天井３と、かごドア１Ａの横に立設されるかご内操作盤４とを備えている。かご内操作盤４には、エレベータに異常が発生し乗客が乗かご１内に閉じ込められたときに、外部との通話を行なうことができるインターホン４ａや、乗かご１の行先階の登録やドアの開閉指示を行なう操作釦５が配置されている。
【００１６】
本実施形態のエレベータのかご内炎検出装置は、その主要部を構成する凸面鏡装置６を、乗かご１の天井３の隅角部に、例えば図１に示すように、かご内操作盤４の上方に位置する乗かご１の天井３の隅角部に設置してある。この凸面鏡装置６は、図２に示すように、互いに直交する例えば扇状の３つの板体によって形成される枠状の保持部６Ｂと、この保持部６Ｂの前面側に装着される凸面鏡部６Ａとから成っている。凸面鏡部６Ａは、保持部６Ｂの３つの板体を例えばほぼ同一形状に設定することにより、下向きに傾いた状態に配置される。凸面鏡装置６の保持部６Ｂは、例えば磁石を介して側板２や天井３等に容易に取り付けることができる。
【００１７】
凸面鏡装置６の凸面鏡部６Ａには、乗かご１内で発生した炎の検知に活用される例えば直径５ｍｍ程度の複数の穴６ａを形成させてある。この凸面鏡装置６の内部には、図３に示すように、炎検知器７を取り付ける炎検知器取付部７ａを穴６ａを囲むように配置してあり、警報装置８を取り付ける警報装置取付部８ａを、例えば炎検知器取付部７ａの上側に位置するように配置してある。
【００１８】
上述した炎検知器取付部７ａ及び警報装置取付部８ａは、例えばゴム体で形成され、凸面鏡部５Ａの内面に接着剤で接着されている。炎検知器７及び警報装置８は、これらのゴム体から成る炎検知器取付部７ａ及び警報装置取付部８ａの弾性力で保持されるようになっている。
【００１９】
また、炎検知器７は、炎を検知したとき炎検知信号を警報装置８に出力すると共に、炎検知信号を図１に示す通報装置９にも出力する。通報装置９は外部の所定箇所へ、例えばエレベータの異常を遠隔で監視する図示しない監視センタへ通報信号を出力するものである。
【００２０】
図４は本実施形態の動作を示す流れ図である。この図４を用いて本実施形態の動作について説明する。
【００２１】
乗かご１内で、例えば乗客がたばこに火を付けるためにライター等を使うと、ライター等の炎から発生する紫外線が、凸面鏡装置６の凸面鏡部６Ａの穴６ａを介して炎検知器７で検知され（ステップＳ１）、炎検知器７から炎検知信号が出力される。この炎検知器７からの炎検知信号を入力した警報装置８は、例えば予め記憶される音声による放送、あるいはブザーを鳴動させて、たばこを吸おうとした乗客に注意を喚起する（ステップＳ２）。
【００２２】
ここで、炎検知器７が炎を検知しなくなると通常運転となるが、所定時間経過してもライター等の炎を検知し続けると、いたずらをやめていないと判断され（ステップＳ３）、炎検知器７は通報装置９へ炎検知信号を出力し、通報装置９は公衆回線を介して図示しない監視センタへ、乗かご１内で火を使ったいたずらが発生した旨の信号を送信する（ステップＳ４）。
【００２３】
次に、図示しない監視センタの管制員は、公衆回線を用いて通報装置９へ電話をかけ、インターホン４ａによって乗かご１内の状況確認を行なうとともに（ステップＳ５）、通報された乗かご１内で炎検出が発生したという事実や、インターホン４ａを介して把握した状況を、そのエレベータが据え付けられているビルの管理者側へ通報する（ステップＳ６）。
【００２４】
このように構成した本実施形態は、凸面鏡装置６の凸面鏡部６Ａに形成した複数の穴６ａを介して炎検知器７で、ライター等の炎から発生する紫外線を検知することができる。また、乗かご１内のかご操作盤４の上方に位置する天井３の隅角部に下向きに傾斜させた凸面鏡部６Ａの内側に炎検知器７を収納させたことにより、炎を広い範囲で検知できる。すなわち、乗かご１内のほぼ全域で発生した紫外線を検知できる。
【００２５】
また、乗かご１内で火を使ったいたずらのほとんどは、ライター等でかご内操作盤４の操作釦５を焼かれるものであるが、かご内操作盤５の上方に位置する天井３の隅角部に炎検知器７を配置したことで、乗客の影になって炎が検知不能となることがない。
【００２６】
また、乗かご１内の天井３等の意匠に左右されることなく、すなわち、天井３やかご内操作盤４を特別に改造する必要なく炎検知器７を簡単に取り付けることができるので、この炎検知器７の取付け作業に要する費用を安く済ませることができる。
【００２７】
また、警報装置８も凸面鏡部６Ａの内側に収納させてあり、凸面鏡部６Ａの複数の穴６ａが警報装置８の音抜き穴となるので、天井３に特別な音抜き穴を設けたり、警報装置８を天井３の裏面に取り付けたりするための改造を要することがなく、この警報装置８を簡単に取り付けることができ、警報装置８の取付け費用も安く済ませることができる。
【００２８】
さらに、乗かご１内のかご内操作盤４の上方に位置する天井３の隅角部に凸面鏡装置６の凸面鏡部６Ａが位置しているので、かご内操作盤４の前に立つ乗客は凸面鏡部６Ａを見ることにより、同乗している後の乗客の状況を確認できる。これにより、かご内操作盤４の前に立つ乗客の不安感を解消でき、防犯にも貢献する。
【００２９】
なお、上記した実施形態では、通報装置９による通報先をエレベータの管制センタに設定してあるが、エレベータの管理者側に直接に通報する構成にしてもよい。
【００３０】
また、炎検知器取付部７ａ及び警報装置取付部８ａを、凸面鏡部６Ａの内面に接着剤で接着されるゴム体で形成し、これらの炎検知器取付部７ａ及び警報装置取付部８ａの弾性力によって炎検知器７及び警報装置８を保持させる構成にしてあるが、これらの炎検知器取付部７ａ及び警報装置取付部８ａを保持部６Ｂと一体に剛性部材で設け、これらの炎検知器取付部７ａ及び警報装置取付部８ａに、炎検知器７及び警報装置８の該当するものをビス等で取り付ける構成にしてもよい。また、炎検知器取付部７ａ及び警報装置取付部８ａの一方だけを保持部６Ｂと一体に剛性部材で設け、この保持部６Ｂと一体に設けたものに剛性部材より成る他方をビス等で取り付ける構成にしてもよい。
【図面の簡単な説明】
【００３１】
【図１】本発明に係るエレベータのかご内炎検出装置の一実施形態が装備された乗かごの要部斜視図である。
【図２】本実施形態の拡大正面図である。
【図３】本実施形態に備えられる炎検知器と警報装置の凸面鏡装置内への収納手順を説明する図で、凸面鏡の内側から見た図である。
【図４】本実施形態の動作を示す流れ図である。
【符号の説明】
【００３２】
１    乗かご
２    側板
３    天井
４    かご内操作盤
４ａ  インターホン
５    操作釦
６    凸面鏡装置
６Ａ  凸面鏡部
６ａ  穴部
６Ｂ  保持部
７    炎検知器
７ａ  炎検知器取付部
８    警報装置
８ａ  警報装置取付部
９    通報装置
【図１】
2007039207.tif 000003
【図２】
2007039207.tif 000004
【図３】
2007039207.tif 000005
【図４】
2007039207.tif 000006